【手続補正書】
【提出日】平成19年12月28日(2007.12.28)
【手続補正１】
【補正対象書類名】明細書
【補正対象項目名】特許請求の範囲
【補正方法】変更
【補正の内容】
【特許請求の範囲】
【請求項１】
接続された処理システムが、外部インタフェースを介してデジタルオーディオ再生装置（DAPD）へアクセスし、制御を行うユーザインタフェースアプリケーションプログラムを実行することができる当該接続された処理システムに、結合することができる当該外部インタフェースと、
逆DAPDアプリケーションプログラミングインタフェース(API)を格納する、当該外部インタフェースに結合されるメモリと、
当該メモリおよび当該外部インタフェースに結合され、かつ当該逆DAPD API を実行することができるプロセッサであって、当該逆DAPD APIが、当該プロセッサに、前記ユーザインタフェースアプリケーションプログラムに関連付けられていて、かつ前記接続された処理システムに関連付けられたモニタ画面に表示されるユーザインタフェースへアクセスし、制御を行わせることができるプロセッサと、
を有するデジタルオーディオ再生装置。
【請求項２】
当該逆DAPD APIが、当該ユーザインタフェースアプリケーションプログラムと通信してその動作を制御することができる実行可能命令を有する、請求項1に記載のデジタルオーディオ再生装置。
【請求項３】
当該逆DAPD APIが、当該デジタルオーディオ再生装置のメーカーに関連付けられた最初のデータを有する、請求項1に記載のデジタルオーディオ再生装置。
【請求項４】
当該逆DAPD APIが、当該プロセッサに、当該ユーザインタフェースの少なくとも一部へのアクセスおよび制御を行わせて、当該モニタ画面に表示される当該ユーザインタフェースの少なくとも一部に当該最初のデータを表示させることができる、請求項3に記載のデジタルオーディオ再生装置。
【請求項５】
当該最初のデータが、当該メーカーに関連付けられたロゴイメージを有するグラフィックファイルを有する、請求項4に記載のデジタルオーディオ再生装置。
【請求項６】
当該最初のデータが、当該メーカーに関連付けられたインターネットWEBサイトに関連付けられたURL (Universal Resource Locator)を有する、請求項4に記載のデジタルオーディオ再生装置。
【請求項７】
接続されたデジタルオーディオ再生装置が、当該デジタルオーディオ再生装置に格納されているオーディオファイルを再生することができる当該接続されたデジタルオーディオ再生装置に、結合することができる外部インタフェースと、
当該外部インタフェースを介して当該デジタルオーディオ再生装置へのアクセスおよびその制御を行うユーザインタフェースアプリケーションプログラムを格納でき、かつ逆DAPDアプリケーションプログラミングインタフェース(API)を格納できる、当該外部インタフェースに結合されたメモリと、
当該メモリおよび当該外部インタフェースとに結合され、かつ当該ユーザインタフェースアプリケーションプログラムと当該逆DAPD APIを実行することができるプロセッサであって、当該逆DAPD APIが、当該デジタルオーディオ再生装置と通信することができ、かつ当該ユーザインタフェースアプリケーションに関連付けられていてかつ当該処理システムに関連付けられたモニタ画面に表示されるユーザインタフェースへのアクセスおよび制御を、当該デジタルオーディオ再生装置に行わせることを可能にする前記プロセッサと、
を有する処理システム。
【請求項８】
当該逆DAPD APIが、当該ユーザインタフェースアプリケーションプログラムと通信して動作を制御できる実行可能命令を有する、請求項7に記載の処理システム。
【請求項９】
当該逆DAPD APIが、当該デジタルオーディオ再生装置のメーカーに関連付けられた最初のデータを有する、請求項7に記載の処理システム。
【請求項１０】
当該逆DAPD APIが、当該デジタルオーディオ再生装置に、当該ユーザインタフェースの少なくとも一部へのアクセスおよびその制御を行わせて、当該モニタ画面に表示される当該ユーザインタフェースの少なくとも一部に当該最初のデータを表示させることができる、請求項9に記載の処理システム。
【請求項１１】
当該最初のデータが、当該メーカーに関連付けられたロゴイメージを有するグラフィックファイルを有する、請求項10に記載の処理システム。
【請求項１２】
当該最初のデータが、当該メーカーに関連付けられたインターネットWEBサイトに関連付けられたURL (Universal Resource Locator)を有する、請求項10に記載の処理システム。
【請求項１３】
デジタルオーディオ再生装置(DAPD)と、前記デジタルオーディオ再生装置に接続することができる処理システムと連動して使用するための、前記接続された処理システムのモニタ画面に情報を表示する方法であって、前記方法が、
前記接続された処理システム内で、前記デジタルオーディオ再生装置へのアクセスおよびその制御を行うユーザインタフェースアプリケーションプログラムを実行するステップと、
逆DAPDアプリケーションプログラミングインタフェース(API)を実行するステップとを有する方法において、
前記逆DAPD APIを実行する前記ステップが、前記ユーザインタフェースアプリケーションプログラムに関連付けられていて、かつ前記接続された処理システムに関連付けられたモニタ画面に表示されるユーザインタフェースへのアクセスおよび制御を、前記デジタルオーディオ再生装置に行わせることができる方法。
【請求項１４】
前記逆DAPD APIが、前記ユーザインタフェースアプリケーションプログラムと通信してその動作を制御することのできる実行可能命令を有する、請求項13に記載の方法。
【請求項１５】
前記逆DAPD APIが、前記デジタルオーディオ再生装置のメーカーに関連付けられた最初のデータを有する、請求項13に記載の方法。
【請求項１６】
前記逆DAPD APIを実行する前記ステップが、前記モニタ画面に表示される前記ユーザインタフェースの少なくとも一部へアクセスし、制御を行うサブステップを有する、請求項15に記載の方法。
【請求項１７】
前記逆DAPD APIを実行する前記ステップが、前記ユーザインタフェースの少なくとも一部に前記最初のデータを表示するサブステップを有する、請求項16に記載の方法。
【請求項１８】
前記最初のデータが、当該メーカーに関連付けられたロゴイメージを有するグラフィックファイルを有する、請求項17に記載の方法。
【請求項１９】
前記最初のデータが、前記メーカーに関連付けられたインターネットWEBサイトに関連付けられたURL (Universal Resource Locator)を有する、請求項17に記載の方法。
【請求項２０】
デジタルオーディオ再生装置(DAPD)と、前記デジタルオーディオ再生装置に接続することができる処理システムと連動して使用するための、当該処理システムによって読み取ることができるコンピュータ実行可能命令を記憶したリムーバルストレージ媒体であって、前記コンピュータ実行可能命令が、前記接続された処理システムのモニタ画面に情報を表示するステップを有し、前記ステップが、
前記接続された処理システム内で、前記デジタルオーディオ再生装置へのアクセスおよび制御を行うユーザインタフェースアプリケーションプログラムを実行するステップと、
逆DAPDアプリケーションプログラミングインタフェース(API)を実行するステップとを有し、
前記逆DAPD APIを実行する前記ステップが、前記デジタルオーディオ再生装置に、前記ユーザインタフェースアプリケーションプログラムに関連付けられていて、かつ前記接続された処理システムに関連付けられたモニタ画面に表示されるユーザインタフェースへのアクセスおよびその制御を行わせることのできる、コンピュータ実行可能命令を記憶したリムーバルストレージ媒体。
【請求項２１】
前記逆DAPD APIが、前記ユーザインタフェースアプリケーションプログラムと通信してその動作を制御することのできる実行可能命令を有する、請求項20に記載のコンピュータ実行可能命令を記憶したリムーバルストレージ媒体。
【請求項２２】
前記逆DAPD APIが、前記デジタルオーディオ再生装置のメーカーに関連付けられた最初のデータを有する、請求項20に記載のコンピュータ実行可能命令を記憶したリムーバルストレージ媒体。
【請求項２３】
前記逆DAPD APIを実行する前記ステップが、前記モニタ画面に表示される前記ユーザインタフェースの少なくとも一部へのアクセスおよびその制御のサブステップを有する、請求項22に記載のコンピュータ実行可能命令を記憶したリムーバルストレージ媒体。
【請求項２４】
前記逆DAPD APIを実行する前記ステップが、前記ユーザインタフェースの少なくとも一部に前記最初のデータを表示するサブステップを有する、請求項23に記載のコンピュータ実行可能命令を記憶したリムーバルストレージ媒体。
【手続補正２】
【補正対象書類名】明細書
【補正対象項目名】００２６
【補正方法】変更
【補正の内容】
【００２６】
【発明を実施するための形態】
以下に説明する図1〜4と、本特許文書において本発明の原理を説明するのに使用されているさまざまな実施例は、発明の説明のみを目的としており、如何なる形においても本発明の範囲を制限するものではない。当業者は、本発明の原理が、適切に構成された任意のデジタルオーディオ再生装置または接続された処理システムにおいて実施できることを理解するであろう。